(57)【特許請求の範囲】
【請求項１】
箱状をなしドアとキャスターを備えてなると共に冷却装置とヒーターが搭載され、庫内に食品を収納して冷却，保冷や加熱，保温するサービスカートのコントロールボックスであって、
制御手段と、手動操作されるタイマー設定操作部と、を備えてなり、該制御手段は、該タイマー設定操作部からのタイマー設定信号、庫内に付設された温度検出手段からの温度信号、該サービスカートのドアや供給電力の異常検出手段からの検出信号が入力されると共に、これらの信号に基づき、該冷却装置やヒーターに対し駆動オンオフ信号を出力可能となっており、
該制御手段は、該タイマー設定信号に基づき、まず、該冷却装置に対し駆動オン信号を出力し、次に、所定設定時間が経過すると、該冷却装置に対し駆動オフ信号を出力すると共に該ヒーターに対し駆動オン信号を出力し、そして、更に所定設定時間が経過すると、該ヒーターに対し駆動オフ信号を出力するが、
該制御手段は、このような該タイマー設定信号に基づく制御よりも、該温度信号や該検出信号に基づく制御の方が優先すべく設定されており、該タイマー設定信号に基づき駆動中の該冷却装置や該ヒーターに対し、該温度信号や該検出信号に基づき駆動オフ信号を出力可能となっており、
又、該コントロールボックスは、電源スイッチ，該タイマー設定操作部等の操作部と、該制御手段と、タイマー表示，エラー表示，温度表示等の表示部とが、一体的にユニット化されると共に、該サービスカートに対し着脱可能に取付けられており、
かつ該コントロールボックスは、該冷却装置や該ヒーターへの通電，電力供給用の配線が、コネクタを介し着脱可能に付設されると共に、該温度検出手段や該異常検出手段からの信号伝達用の配線が、コネクタを介し着脱可能に付設されていること、を特徴とするサービスカートのコントロールボックス。
【請求項２】
箱状をなしドアとキャスターを備えてなると共に冷却装置とヒーターが搭載され、庫内に食品を収納して冷却，保冷や加熱，保温するサービスカートのコントロールボックスであって、
制御手段と、手動操作されるタイマー設定操作部と、を備えてなり、該制御手段は、該タイマー設定操作部からのタイマー設定信号、庫内に付設された温度検出手段からの温度信号、該サービスカートのドアや供給電力の異常検出手段からの検出信号が入力されると共に、これらの信号に基づき、該冷却装置やヒーターに対し駆動オンオフ信号を出力可能となっており、
該制御手段は、該タイマー設定信号に基づき、まず、該冷却装置に対し駆動オン信号を出力し、次に、所定設定時間が経過すると、該冷却装置に対し駆動オフ信号を出力すると共に該ヒーターに対し駆動オン信号を出力し、そして、更に所定設定時間が経過すると、該ヒーターに対し駆動オフ信号を出力するが、
該制御手段は、このような該タイマー設定信号に基づく制御よりも、該温度信号や該検出信号に基づく制御の方が優先すべく設定されており、該タイマー設定信号に基づき駆動中の該冷却装置や該ヒーターに対し、該温度信号や該検出信号に基づき駆動オフ信号を出力可能となっており、
又、各該サービスカートについて共通に使用され、該タイマー設定操作部を備えると共に、該サービスカートとは別体のリモートコントロール装置が採用されており、
各該サービスカートのコントロールボックスは、該リモートコントロール装置から発信された該タイマー設定信号を受信可能な受信部と、該受信部を介し該タイマー設定信号が入力される該制御手段と、を有してなること、を特徴とするサービスカートのコントロールボックス。
【発明の詳細な説明】
【０００１】
【発明の属する技術分野】
本発明は、サービスカートのコントロールボックスに関する。例えば、病院，航空機，新幹線内にて食事の提供サービスに供されるサービスカートに組み込まれる、コントロールボックスに関するものである。
【０００２】
【従来の技術】
この種のサービスカートは、箱状をなしドアとキャスターを備え、冷却装置やヒーターが搭載されており、食品を収納して冷却，保冷や加熱，保温する。
図７はこの種従来例の説明に供し、（１）図はサービスカートの要部の斜視図、（２）図は制御のブロック図である。
図７の（１）図にも示したように、この種のサービスカート１では、天板上にコントロール部２が設けられ、電源スイッチ３，タイマー４，温度表示５等々が、それぞれ、市販品を使用し部品単位の単品状態で個々に装備され、取付け固定されていた。そして、電源スイッチ３をオンオフ操作し、タイマー４を設定操作することにより、冷却装置６やヒーター７の動作を制御していた。
【０００３】
図７の（２）図は、このような制御の１例を示し、電源スイッチ３がオンされると、まず、常閉（続）のリレー接点８そして冷却装置駆動回路９を介し、冷却装置６が駆動オンされ、もって庫内に収納されていた食品が、全体的に冷却，保冷される。その際、温度表示５を見ることにより、庫内の温度状態が管理，監視される。
そして、オンタイマーたるタイマー４の設定時間が経過して、リレーコイル１０が励磁されると、常閉（続）のリレー接点８が開（断）に切換わり、冷却装置駆動回路９そして冷却装置６が駆動オフされる。これと共に、常開（断）のリレー接点１１が閉（続）に切換わり、ヒーター駆動回路１２を介しヒーター７が駆動オンされ、もって収納されていた食品が、個別的に加熱，保温される。
例えばこのようにして、庫内の食品が冷却，保冷された後、加熱，保温され、もって食事の提供サービスに供されていた。
【０００４】
【発明が解決しようとする課題】
ところで、このような従来例にあっては、次の問題が指摘されていた。まず第１に、この種従来例のサービスカート１では、例えば図７に示したように、コントロール部２のタイマー４のみにより、冷却装置６やヒーター７の動作制御が行われていた。又、コントロール部２の表示も、庫内の温度表示５のみが単独で実施されていた。
しかしながら、この種のサービスカート１にあっては、庫内の温度状態，サービスカート１の状態，電力供給状態等によっても、冷却装置６やヒーター７の動作制御を行う必要がある。例えば、庫内の温度が所定温度域を逸脱した場合に冷却装置６を駆動オフしたり、サービスカート１のドアが開放された場合にヒーター７を駆動オフすること、等は必須的に必要である。
しかしながら、この種従来例のタイマー４による動作制御方式において、このような場合に、タイマー４以外の入力に基づき冷却装置６やヒーター７の動作制御を実施したり、その旨のエラー表示を実施する出力を付加することは、困難であった。勿論、更にその他の制御を追加したり回路を変更したりすることも、容易ではなかった。
このように、この種従来例では、動作制御面，表示面，追加変更面、等に問題が指摘されていた。
【０００５】
第２に、この種従来例のサービスカート１では、例えば図７に示したように、コントロール部２に、電源スイッチ３，タイマー４，温度表示５等が、単品の部品単位で、それぞれ個々に取付け固定されていた。
そこでこの種従来例では、コントロール部２の組立作業に手間，工数，時間がかかり、又、修理等に際しても個々の取外し，取付けが面倒であり、メインテナンス性が悪く、更に、個々の統一性が無くサービスカート１の外観が損なわれると共に、使用時においてタイマー４等の操作性も悪い、等々の問題が指摘されていた。
【０００６】
第３に、この種従来例のサービスカート１では、例えば図７に示したように、コントロール部２のタイマー４を設定操作することにより、冷却装置６やヒーター７の動作制御を行っていた。
ところで、この種のサービスカート１は、例えば病院，航空機，新幹線内等において、多数台が同時に使用されることが多いが、従来は、このようなサービスカート１毎に１台ずつ、上述したタイマー４の設定操作が行われていた。
つまり、この種従来例では、サービスカート１の台数分だけ、同じ設定操作，入力作業を繰り返さなければならず、操作性，作業性が悪い、という問題が指摘されていた。
【０００７】
本発明は、このような実情に鑑み、上記従来例の課題を解決すべくなされたものであって、タイマー設定操作のみならず、庫内の温度状態，ドアの状態，電力供給状態等に基づき、冷却装置やヒーターの動作制御が行える、サービスカートのコントロールボックスを提案することを目的とする。
そして更に、請求項１では、操作部，制御手段，表示部等を一体的にユニット化して、着脱可能とすると共に、冷却装置，ヒーター，検出手段等の配線を着脱可能に付設したことにより、組立作業の手間，工数，時間が軽減され、メインテナンス性が向上し、外観にも優れ、操作性も向上する、サービスカートのコントロールボックスを提案することを目的とする。
請求項２では、タイマー設定操作部を備えたリモートコントロール装置とその受信部等を採用したことにより、タイマー設定操作が、各サービスカートについて共通化され１回だけで良くなり、その分、操作性，作業性が向上する、サービスカートのコントロールボックスを提案することを目的とする。
【０００８】
【課題を解決するための手段】
このような課題を解決する本発明の技術的手段は、次のとおりである。このサービスカートは、箱状をなしドアとキャスターを備えてなると共に冷却装置とヒーターが搭載され、庫内に食品を収納して冷却，保冷や加熱，保温する。
そして、このコントロールボックスは、制御手段と、手動操作されるタイマー設定操作部と、を備えている。
該制御手段は、該タイマー設定操作部からのタイマー設定信号、庫内に付設された温度検出手段からの温度信号、該サービスカートのドアや供給電力の異常検出手段からの検出信号が入力されると共に、これらの信号に基づき、該冷却装置やヒーターに対し駆動オンオフ信号を出力可能となっている。
該制御手段は、該タイマー設定信号に基づき、まず、該冷却装置に対し駆動オン信号を出力し、次に、所定設定時間が経過すると、該冷却装置に対し駆動オフ信号を出力すると共に、該ヒーターに対し駆動オン信号を出力し、そして、更に所定設定時間が経過すると、該ヒーターに対し駆動オフ信号を出力する。
そして該制御手段は、このような該タイマー設定信号に基づく制御よりも、該温度信号や該検出信号に基づく制御の方が優先すべく設定されており、該タイマー設定信号に基づき駆動中の該冷却装置や該ヒーターに対し、該温度信号や該検出信号に基づき駆動オフ信号を出力可能となっている。
【０００９】
そして、請求項１については次のとおり。すなわち請求項１のコントロールボックスは、電源スイッチ，該タイマー設定操作部等の操作部と、該制御手段と、タイマー表示，エラー表示，温度表示等の表示部とが、一体的にユニット化されると共に、該サービスカートに対し着脱可能に取付けられている。
かつ該コントロールボックスは、該冷却装置や該ヒーターへの通電，電力供給用の配線が、コネクタを介し着脱可能に付設されると共に、該温度検出手段や該異常検出手段からの信号伝達用の配線が、コネクタを介し着脱可能に付設されていること、を特徴とする。
請求項２については、次のとおり。すなわち請求項２では、各該サービスカートについて共通に使用され、該タイマー設定操作部を備えると共に、該サービスカートとは別体のリモートコントロール装置が採用されている。
そして、各該サービスカートのコントロールボックスは、該リモートコントロール装置から発信された該タイマー設定信号を受信可能な受信部と、該受信部を介し該タイマー設定信号が入力される該制御手段と、を有してなること、を特徴とする。
【００１０】
本発明は、このようになっているので、次のようになる。このサービスカートには、冷却装置やヒーターが搭載されている。
そして、そのコントロールボックスは、電源スイッチ，タイマー設定操作部等の操作部と、制御手段と、タイマー表示，エラー表示，温度表示等の表示部とが、一体的にユニット化されると共に、サービスカートに対し着脱可能であり、各配線も着脱可能に付設されている。もって、このコントロールボックスは、組立作業が容易であり、メインテナンスも容易であり、外観も向上してなる。
そして（１）、庫内への食品の収納と共に、電源スイッチがオン操作され、タイマー設定操作部が手動操作されて、タイマー設定信号が制御手段に入力される。
なお、このようなコントロールボックスに代えて、リモートコントロール装置を使用してもよく、この場合は、そのタイマー設定操作部を１回だけ手動操作しておけば、事後は順次、各サービスカートの受信部に発信して行くだけで、タイマー設定信号が各サービスカートの制御手段に入力され、操作性，作業性が向上する。
【００１１】
それから（２）、まず、制御手段にて冷却装置が駆動オンされ、庫内そして食品が全体的に冷却，保冷される。
そして、所定設定時間が経過すると、制御手段にて冷却装置が駆動オフされると共にヒーターが駆動オンされ、食品が個別的，集中的に加熱，保温される。このようにして、食品が食べ頃となって食事の提供サービスに供される。
さて（３）、このような冷却，保冷中や加熱，保温中を通じ、制御手段には、温度検出手段やドアスイッチや過電流センサ等の異常検出手段から、信号が入力されており、常時は、タイマー表示や温度表示にて表示が実施されている。
これに対し（４）、冷却，保冷中に庫内の温度が所定温度域を逸脱した場合は、制御手段にて冷却装置が駆動オフされ、加熱，保温中にドアが開放された場合は、制御手段にてヒーターが駆動オフされる。又、冷却，保冷中や加熱，保温中に、過電流センサが異常を検出した場合は、制御手段にて冷却装置やヒーターが駆動オフされる。
更に（５）、これらの各場合は、エラー表示が実施される。
【００１２】
そこで、本発明の請求項１，２のサービスカートのコントロールボックスによると、第１に、制御手段により、タイマーの設定操作のみならず，庫内の温度状態，ドア等の状態，電力供給状態に基づき、冷却装置やヒーターの動作制御が行われる。
例えば、冷却装置やヒーターが、自動的に所定設定時間だけ駆動オンオフされるのは勿論のこと、途中で庫内の温度が所定温度域を逸脱した場合は、自動的に冷却装置が駆動オフされ、又、途中でドアが開放された場合は、自動的にヒーターが駆動オフされ、更に、電力供給に異常が生じた場合は、自動的に冷却装置やヒーターが駆動オフされる。
第２に、更に請求項１のコントロールボックスでは、操作部，制御手段，表示部等を一体的にユニット化して、サービスカートに対し着脱可能に取付けると共に、冷却装置，ヒーター，検出手段等に対する配線を着脱可能に付設してなる。
そこでまず、コントロールボックスの組立作業が容易化され、その手間，工数，時間が軽減される。又、修理等に際し、サービスカートに対する取付け，取外しも容易であり、メインテナンス性が向上する。更に、一体化により個々の統一性がバランスよく保たれ、サービスカートの外観も向上する。
第３に、請求項２では、各サービスカート共通のタイマー設定操作部を備えた別体のリモートコントロール装置と、各サービスカートのコントロールボックスの受信部と、を採用してなる。
このサービスカートは、例えば病院，航空機，新幹線内等において、多数台が同時に使用されることが多いが、これにより、各サービスカートに対するタイマー設定操作部の手動操作が、共通化される。つまり、リモートコントロール装置のタイマー設定操作部を１回だけ手動操作するだけで、各サービスカートに対する手動操作が完了する。各サービスカート毎に１台ずつ台数分だけ同じ手動操作，入力作業を繰り返す必要がなくなり、その分、操作性，作業性が向上する。
【００１３】
【発明の実施の形態】
以下本発明を、図面に示す発明の実施の形態に基づいて、詳細に説明する。図１，図２，図３，図４，図５，図６等は、本発明の実施の形態の説明に供する。
そして、図１は制御のブロック図であり、図２の（１）図はパネル部の正面図、図２の（２）図はコントロールボックス等の斜視図であり、図３はサービスカートの斜視図である。
図４の（１）図は、リモートコントロール装置と第１受光素子のブロック図、（２）図は、リモートコントロール装置と第２受光素子のブロック図である。図５はサービスカートの斜視図である。図６の（１）図は、サービスカートの要部の正断面図、図６の（２）図は、サービスカートの要部の側断面図である。
【００１４】
まず、図３，図５，図６により、サービスカート１３について説明する。サービスカート１３は箱状をなし、庫内に出し入れ自在な棚としてトレイ１４が上下多段に収納されると共に、冷却装置１５やヒーター１６が搭載されている。
そしてトレイ１４上に、食器１７に入れられた食品１８が載せられ、もって食事の提供サービスに供される。つまりこのサービスカート１３は、庫内に食品１８が収納されて冷却，保冷や加熱，保温され、もって食事の提供サービスに供される。
【００１５】
このようなサービスカート１３について、更に詳述する。このサービスカート１３は、例えば病院内，航空機内，新幹線内等において、患者や乗客に対し食事の提供サービスを行う際に使用され、外箱本体１９とドア２０とキャスター２１とを備えてなり、手で押して移動，運搬されると共に適宜保管される。
外箱本体１９は、天板２２，床板２３，左右の側板２４，前後のドア２０等を備えた箱状をなし、ドア２０は、外箱本体１９の前面や背面に取付けられ、キャスター２１は、外箱本体１９の床板２３の四隅下に付設されている。
なお図示例は、前後にドア２０を備えたタイプよりなるが、図示例によらず、前面のドア２０のみが用いられ、背面のドア２０に代えてリア板が設けられたタイプ、つまり背面がリア板にて閉鎖されたタイプも考えられる。
外箱本体１９の天板２２，床板２３，側板２４，ドア２０，リア板等は、それぞれアルミその他の軽金属製の表面板間に、芯材として断熱材が介装されたパネル構造よりなり、縦横つまり上下，左右，前後等に骨組として配されたアルミその他の軽金属製の各コーナー型材に、組み付けられている。
【００１６】
外箱本体１９の左右の側板２４内面には、ガイドレールたるトレイ受け２５が、左右で高さレベルを揃えて対向しつつ、上下多段に固設されている。
そして図６に示したように、この左右のトレイ受け２５間に、板状のトレイ１４が出し入れ自在な棚として、保持されている。つまりトレイ１４は、サービスカート１３の庫内に、前後に出し入れ自在な棚として、上下多段に収納されている。
トレイ１４上には、各種の食材たる食品１８が、食器１７に入れられて載せられており、このような食品１８としては、御飯，めん類，パスタ，パン等の主食、料理等の主采、野菜等の副采、スープやコーヒー等の飲料、等々が考えられる。
【００１７】
サービスカート１３は、このように外箱本体１９の庫内に食品１８を収納し、搭載された冷却装置１５により冷却，保冷する。
正確には、食品１８を冷却装置１５にて冷却した後に保冷するパターンや、予め外部で冷却されていた食品１８を、冷却装置１５にて引き続き保冷するパターン、その他各種のパターンが考えられる（本明細書において、冷却，保冷とは、このような意味にて用いられる）。
【００１８】
図示例の冷却装置１５は、公知のヒートポンプ式よりなり、冷媒の圧縮器，凝縮器，蒸発器，ファン等を備えてユニット化されており、サービスカート１３の底部に断熱材２６にて区画形成された搭載スペースに対し、前後方向に挿脱可能，着脱可能に配設されている。
そして、冷却装置１５から吹き出された冷気が、サービスカート１３の外箱本体１９内を流れ、トレイ１４上に載せられた食器１７つまり食品１８に当たり、このようにして温度が上昇した冷気つまり空気が、冷却装置１５に回収された後、再び冷気となって吹き出すようになっている。例えば、このような冷却装置１５にて循環される冷気により、庫内に収納された食品１８が冷却，保冷される。
図３中２７は、冷却装置１５のコンセント２７であり、外箱本体１９側に付設された対応コンセント（図示せず）を経由し、コントロールボックス２８に接続され、もって冷却装置１５が通電，駆動可能となっている。
【００１９】
このサービスカート１３にあっては、庫内に収納された食品１８を、このように冷却装置１５にて冷却，保冷可能であると共に、更に、ヒーター１６にて加熱，保温可能となっている。
正確には、食品１８をヒーター１６で加熱調理した後に保温するパターンや、予め外部で既に加熱調理されていた食品１８を、ヒーター１６で再度加熱して保温するパターン、その他各種のパターンが考えられる（本明細書において加熱，保温とは、このような意味にて用いる）。
【００２０】
図示例のヒーター１６は、各トレイ１４にそれぞれ組み込まれている。すなわち図６に示したように、各トレイ１４のヒータープレート部には、通電により発熱する面状のヒーター１６が内蔵されている。
そして、このようなヒーター１６上に載せられた食器１７内の食品１８、例えば主食や料理等の主采が、ヒーター１６の通電，発熱により、加熱，保温されるようになっている。勿論、加熱，保温される食品１８は、収納されたすべての食品１８としてもよく、これとは反対に、収納された食品１８のうち選択されたもののみとしてもよい。
なお、各トレイ１４には接点端子が付設されており、この接点端子が外箱本体１９側に付設された対応接点端子を経由し、コントロールボックス２８に接続され、もってヒーター１６が通電，発熱可能となっている。
【００２１】
このサービスカート１３は、このように冷却装置１５とヒーター１６とが搭載されており、庫内に収納された食品１８を、全体的に冷却，保冷可能であると共に、個別的，部分的，選択的，集中的に加熱，保温可能となっている。勿論、この冷却，保冷実施時間と、加熱，保温実施時間とは、時間的に前後の関係となるように、コントロールボックス２８にて切換え制御される。
サービスカート１３は、このようになっている。
【００２２】
以下、図１，図２，図３，図４等により、本発明のコントロールボックス２８について説明する。
まず、このコントロールボックス２８は、電源スイッチ２９，タイマー設定操作部３０等の操作部３１と、制御手段３２と、タイマー表示３３，エラー表示３４，温度表示３５等の表示部３６とが、一体的にユニット化されると共に、サービスカート１３に対し着脱可能に取付けられている。操作部３１は、パネルシート４７下に配された表面タッチパネル式よりなる。
又、冷却装置１５やヒーター１６への配線３７，３８が、コネクタ３９，４０を介し着脱可能に付設されると共に、温度検出手段４１等の検出手段４２からの配線４３，４４が、コネクタ４５，４６を介し着脱可能に付設されている。
【００２３】
このようなコントロールボックス２８について、更に詳述する。コントロールボックス２８は、図２に示したように箱状をなし、サービスカート１３の天板２２上に、ネジ等を使用して取付けられる。つまりネジ等を使用し、容易に取付け，取外し可能、着脱可能に取付け固定されている。
そして、コントロールボックス２８内には、制御手段３２等が内蔵されている。又、コントロールボックス２８前面のパネル部４８には、カート側コネクタ４９，操作部３１，表示部３６等が、一体的にユニット化されて配設され、内蔵された制御手段３２等に接続されている。
【００２４】
まず、パネル部４８のカート側コネクタ４９は、外部の電源側コネクタ５０（図５を参照）に接続され、もって冷却装置１５やヒーター１６への通電，電力供給が可能となっている。
次に、パネル部４８の操作部３１や表示部３６は、透明な一体のパネルシート４７下に配されている。
図示例の手動操作される操作部３１は、１個のボタンスイッチよりなりオンオフ操作信号を送出可能な電源スイッチ２９、多数のボタンスイッチよりなりタイマー設定信号を送出可能なタイマー設定操作部３０、１個のボタンスイッチよりなりロックオンオフ信号を送出可能なロックボタン５１、等を備えてなる。
このような操作部３１の電源スイッチ２９，タイマー設定操作部３０，ロックボタン５１等は、いずれも操作時において、パネルシート４７下のボタンスイッチを押下する、表面タッチパネル式よりなる。タイマー設定操作部３０は、主にヒーター１６の動作設定を行う。
【００２５】
次に、図示例の表示部３６は、タイマー表示３３，エラー表示３４，温度表示３５，冷却装置動作表示５２，ヒーター動作表示５３、等を備えてなる。
タイマー表示３３は、タイマーの設定内容を表示する。エラー表示３４は、冷却，保冷中に庫内の温度が所定温度域を逸脱した場合（例えば上昇した場合）や、加熱，保温中にドア２０（図３，図５，図６等を参照）が開放された場合や、冷却，保冷中や加熱，保温中に供給電力に異常が発生した場合、等々において、その旨を表示する。
つまりエラー表示３４は、警報部５４の１例であり、警報部５４としては、文字や光にて警報を実施するエラー表示３４と共に又はこれに代えて、音や動作による警報を実施する構成も考えられる。又、図示例ではタイマー表示３３とエラー表示３４とは別々の画面とされているが、これによらず、１つの画面を常時のタイマー表示と異常時のエラー表示とに、切換え使用するようにしてもよい。
温度表示３５は、庫内の温度、つまりサービスカート１３の外箱本体１９内の温度、食品１８が収納されている部分の温度を表示する。冷却装置動作表示５２やヒーター動作表示５３は、冷却装置１５やヒーター１６の駆動オンオフを表示する。
【００２６】
又、図２の（２）図に示したように、コントロールボックス２８の背面からは、内蔵された制御手段３２等に接続された配線３７，３８，４３，４４，５５が延出されている。
配線３７は、コネクタ３９を介し冷却装置１５側への配線（図示せず）に接続され、通電，電力供給可能となっている。配線３８は、コネクタ４０を介し各ヒーター１６側への配線（図示せず）に接続され、通電，電力供給可能となっている。配線５５は、コネクタ５６を介しロック装置５７側への配線（図示せず）に接続され、通電，電力供給可能となっている。
配線４３は、コネクタ４５を介し温度検出手段４１たる温度センサ５８側の配線（図示せず）に接続され、信号を伝達する。配線４４は、コネクタ４６を介しドアスイッチ５９側の配線（図示せず）に接続され、信号を伝達する。
このように、コントロールボックス２８からの配線３７，３８，５５や、コントロールボックス２８への配線４３，４４は、すべてコネクタ３９，４０，５６，４５，４６を使用して、対応する各配線に接続可能、つまり容易に取付け，取外し可能となっている。
コントロールボックス２８は、このようになっている。
【００２７】
次に図１等により、コントロールボックス２８に内蔵された制御手段３２について説明する。
図示例では、制御手段３２として、マイクロコンピュータ６０が採用されている。そして、このマイクロコンピュータ６０よりなる制御手段３２には、前述したタイマー設定操作部３０からのタイマー設定信号、庫内に付設された温度検出手段４１からの温度信号、サービスカート１３や電力の異常検出手段６１からの検出信号、等々が入力される。
又、マイクロコンピュータ６０よりなる制御手段３２は、これらの信号に基づき、冷却装置１５やヒーター１６に対し駆動オンオフ信号、付設された警報部５４に対しオン信号、等々を出力可能となっている。
【００２８】
このようなマイクロコンピュータ６０よりなるコントロールボックス２８の制御手段３２等について、更に詳述する。
このマイクロコンピュータ６０には、コントロールボックス２８の操作部３１の電源スイッチ２９（図２を参照）からのオンオフ操作信号、コントロールボックス２８の操作部３１のタイマー設定操作部３０（図２を参照）からのタイマー設定信号、庫内の温度検出手段４１たる温度センサ５８（図３，図５を参照）からの温度信号、サービスカート１３の異常検出手段６１たるドアスイッチ５９（図３，図５を参照）からの検出信号、コントロールボックス２８のカート側コネクタ４９付近に内蔵された異常検出手段６１たる過電流センサ６２（図２，図３，図５を参照）からの検出信号、コントロールボックス２８の操作部３１のロックボタン５１（図２を参照）からのロックオンオフ信号、等々がポートを介し送出，入力される。又、マイクロコンピュータ６０に付設されたクロック、又はマイクロコンピュータ６０自体のクロック機能により、クロック信号が入力，カウントされる。
マイクロコンピュータ６０では、入力されたこれらの信号と、予め格納され読み込まれていたプログラムの指示に基づき、ポートを介し、冷却装置１５，ヒーター１６，各種の表示部３６，ロック装置５７等に対し、対応した制御信号を出力，送出する。
【００２９】
すなわち、まず第１に、操作部３１のタイマー設定操作部３０からのタイマー設定信号に基づき、表示部３６のタイマー表示３３に対し表示信号が出力され、タイマー設定内容が表示されるようになる。
第２に、温度センサ５８からの温度信号に基づき、表示部３６の温度表示３５に対し表示信号が出力され、庫内の温度が表示されるようになる。
【００３０】
第３に、操作部３１の電源スイッチ２９のオン操作信号やタイマー設定操作部３０からのタイマー設定信号に基づき、冷却装置駆動回路６３を介し冷却装置１５に対し駆動オン信号が出力されると共に、表示部３６の冷却装置動作表示５２に対し表示オン信号が出力される。
そして、タイマー設定信号に基づく所定設定時間が経過すると、冷却装置駆動回路６３を介し冷却装置１５に対し駆動オフ信号が出力されると共に、表示部３６の冷却装置動作表示５２に対し表示オフ信号が出力される。同時に、ヒーター駆動回路６４を介しヒーター１６に対し駆動オン信号が出力されると共に、表示部３６のヒーター動作表示５３に対し表示オン信号が出力される。
そして更に、タイマー設定信号に基づく所定時間が経過すると、ヒーター駆動回路６４を介しヒーター１６に対し駆動オフ信号が出力されると共に、表示部３６のヒーター動作表示５３に対し表示オフ信号が出力される。
【００３１】
第４に、冷却装置１５の駆動中に、温度センサ５８からの温度信号に基づき庫内の温度が所定温度域を逸脱した（例えば、所定温度域が５℃から１０℃の場合に、１５℃に上昇した）と判断した場合には、冷却装置駆動回路６３を介し冷却装置１５に対し駆動オフ信号が出力されると共に、表示部３６の冷却装置動作表示５２に対し表示オフ信号が出力され、警報部５４たるエラー表示３４に対しその旨の表示オン信号が出力される。
このように、前述した第３の点のタイマー設定信号に基づく処理，制御より、温度信号に基づく処理，制御の方が、優先すべく設定されている。
第５に、ヒーター１６の駆動中に、ドア２０の開閉検出用のリミットスイッチつまり異常検出手段６１のドアスイッチ５９から、ドア２０開の検出信号が入力されると、ヒーター駆動回路６４を介しヒーター１６に対し駆動オフ信号が出力されると共に、表示部３６のヒーター動作表示５３に対し表示オフ信号が出力され、警報部５４たるエラー表示３４に対しその旨の表示オン信号が出力される。
このように、前述した第３の点のタイマー設定信号に基づく処理，制御より、ドアスイッチ５９の検出信号に基づく処理，制御の方が、優先すべく設定されている。
【００３２】
第６に、冷却装置１５の駆動中又はヒーター１６の駆動中に、異常警報手段６１の過電流センサ６２から供給電力異常の検出信号が入力されると、冷却装置駆動回路６３を介し冷却装置１５に対し、又、ヒーター駆動回路６４を介しヒーター１６に対し、それぞれ駆動オフ信号が出力される。
これと共に、表示部３６の冷却装置動作表示５２又はヒーター動作表示５３に対し表示オフ信号が出力され、警報部５４たるエラー表示３４に対しその旨の表示オン信号が出力される。
このように、前述した第３の点のタイマー設定信号に基づく処理，制御より、過電流センサ６２からの検出信号に基づく処理，制御の方が、優先すべく設定されている。
第７に、操作部３１のロックボタン５１からロックオンオフ信号が入力されると、ロック装置駆動回路６５を介しロック装置５７に対し、対応したロックオンオフ信号が出力される。そしてロック装置５７は、サービスカート１３を全体的に不動にロックオン，ロックする。
【００３３】
マイクロコンピュータ６０よりなる制御手段３２は、入力された各信号と予め格納されていたプログラムの指示に基づき、このような制御信号を出力する。つまり、マイクロコンピュータ６０により、上述した第１，第２，第３，第４，第５，第６，第７の制御が行われる。
なお制御手段３２は、このような図示例によらず、上述した第１から第７の各機能を達成する専用の各手段により構成してもよく、この場合は各手段について、マイクロコンピュータ６０を用いず対応回路を用いるようにしてもよい。
制御手段３２は、このようになっている。
【００３４】
次に、図１，図２，図３，図４等により、リモートコントロール装置６６について説明する。
このサービスカート１３は、更に、各サービスカート１３共通のタイマー設定操作部６７を備えた別体のリモートコントロール装置６６と、リモートコントロール装置６６から発信されたタイマー設定信号を受信可能な受信部６８と、受信部６８を介しタイマー設定信号が入力されると共に、これに基づき冷却装置１５やヒーター１６に対し駆動オンオフ信号を出力可能な制御手段３２と、を有してなる。
【００３５】
このようなリモートコントロール装置６６等について、更に詳述する。図示のリモートコントロール装置６６は、サービスカート１３とは別体よりなり、手動操作されるタイマー設定操作部６７と、ロックボタン６９とを備えてなり、１個で各サービスカート１３について、共通に使用される。
このタイマー設定操作部６７は、前述したサービスカート１３のコントロールボックス２８のタイマー設定操作部３０に準じた構成よりなり、多数のボタンスイッチを備え、タイマー設定信号を入力，メモリー，発信，送出可能である。ロックボタン６９も、前述したロックボタン５１に準じ、ロックオンオフ信号を入力，メモリー，発信，送出可能である。
そして、このようなリモートコントロール装置６６に対応し、各サービスカート１３には、それぞれ受信部６８として、図示例では第１受光素子７０と第２受光素子７１が設けられている。
すなわち、サービスカート１３のコントロールボックス２８には、リモートコントロール装置６６のタイマー設定操作部６７から発信されたタイマー設定信号を受信可能な第１受光素子７０と、ロックボタン６９から発信されたロックオンオフ信号等を受信可能な第２受光素子７１が配設されている。
なお、発信，受信の形態は、図示例の光信号によらず、その他各種の信号を利用するようにしてもよい。
【００３６】
図４の（１）図は、１個のリモートコントロール装置６６のタイマー設定操作部６７から、Ａ，Ｂ，Ｃ，Ｄ，Ｅ，Ｆの各サービスカート１３の第１受光素子７０に対し、順次、タイマー設定信号が発信，受信されて行く状態を示す。同様に図４の（２）図は、１個のリモートコントロール装置６６のロックボタン６９から、Ａ，Ｂ，Ｃ，Ｄ，Ｅ，Ｆの各サービスカート１３の第２受光素子７１に対し、順次、ロックオンオフ信号等が発信，受信されて行く状態を示す。
このようにして受信部６８たる第１受光素子７０や第２受光素子７１で受信されたタイマー設定信号やロックオンオフ信号等は、それぞれ、マイクロコンピュータ６０を用いた制御手段３２に入力される。
入力されたタイマー設定信号やロックオンオフ信号の処理，これらに基づく制御等については、前述したところに準じる。つまり制御手段３２では、コントロールボックス２８のタイマー設定操作部３０やロックボタン５１から入力されたタイマー設定信号やロックオンオフ信号と同様に処理され、例えば冷却装置１５やヒーター１６に対し駆動オンオフ信号が出力される。
リモートコントロール装置６６は、このようになっている。
【００３７】
本発明は、以上説明したように構成されている。そこで以下のようになる。
このサービスカート１３は、箱状をなしドア２０とキャスター２１を備えてなり、冷却装置１５やヒーター１６が搭載されている。
冷却装置１５やヒーター１６のコントロールボックス２８は、電源スイッチ２９，タイマー設定操作部３０，ロックボタン５１等の操作部３１と、マイクロコンピュータ６０を使用した制御手段３２と、タイマー表示３３，エラー表示３４，温度表示３５，冷却装置動作表示５２，ヒーター動作表示５３等の表示部３６とが、一体的にユニット化され、サービスカート１３に対し着脱可能に取付けられている（図２等を参照）。
又、コントロールボックス２８には、冷却装置１５、ヒーター１６、ロック装置５７、庫内の温度検出手段４１たる温度センサ５８、異常検出手段６１たるドアスイッチ５９等に対する配線３７，３８，４３，４４，５５が、それぞれコネクタ３９，４０，４５，４６，５６を介し、着脱可能に付設されている（図２の（２）図を参照）。
【００３８】
そして（１）、庫内への食品１８の収納（図５，図６を参照）と共に、コントロールボックス２８の電源スイッチ２９がオン操作され、タイマー設定操作部３０が手動操作されて、タイマー設定信号がマイクロコンピュータ６０を用いた制御手段３２に入力される（図１等を参照）。電源スイッチ２９やタイマー設定操作部３０等の操作部３１は、コントロールボックス２８前面のパネル部４８のパネルシート４７下に配されている（図２を参照）。
又、このようなコントロールボックス２８のタイマー設定操作部３０に代えて、リモートコントロール装置６６のタイマー設定操作部６７を使用してもよい（図３を参照）。
この場合は、リモートコントロール装置６６のタイマー設定操作部６７を手動操作しておけば、事後は、各サービスカート１３の受信部６８たる第１受光素子７０に対し、発信操作して行くことにより、タイマー設定信号が、各サービスカート１３の制御手段３２に入力される（図１，図４を参照）。
【００３９】
さて（２）、このように食品１８が収納され、電源スイッチ２９がオン操作され、タイマー設定操作部３０が手動操作されタイマー設定信号が入力されると、まず、制御手段３２から冷却装置１５に駆動オン信号が出力され、冷却装置１５が駆動オンする。もって庫内そして食品１８が、全体的に冷却，保冷される（図１，図５，図６を参照）。
そして、タイマー設定信号に基づく所定設定時間が経過すると、制御手段３２から冷却装置１５に駆動オフ信号が出力され、冷却装置１５が駆動オフする共に、ヒーター１６に駆動オン信号が出力され、ヒーター１６が駆動オンする。もって食品１８が、個別的，選択的，集中的に加熱，保温される（図１，図５，図６を参照）。
そして、更に所定設定時間が経過すると、制御手段３２からヒーター１６に駆動オフ信号が出力され、ヒーター１６が駆動オフする（図１，図５，図６を参照）。
このサービスカート１３にあっては、このようにして、収納された食品１８が冷却，保冷された後、加熱，保温され、食べ頃となって食事の提供サービスに供される。事後、電源スイッチ２９はオフ操作される。
【００４０】
さて（３）、制御手段３２には、前述したようにタイマー設定操作部３０（６７）からタイマー設定信号が入力されると共に、このような冷却，保冷中や加熱，保温中を通じ、庫内の温度検出手段４１たる温度センサ５８から温度信号が入力され、更にドアスイッチ５９や過電流センサ６２等の異常検出手段６１から検出信号が入力されている（図１を参照）。
もって常時は、制御手段３２からタイマー表示３３，温度表示３５，冷却装置動作表示５２，ヒーター動作表示５３等の表示部３６に対し、表示オン信号が出力され、もってタイマー設定内容の表示，庫内温度の表示，冷却装置１５動作中はその旨の表示，ヒーター１６動作中はその旨の表示等が、それぞれ実施されている（図１，図２を参照）。
【００４１】
これに対し（４）、まず冷却，保冷中に、温度センサ５８から入力された温度信号に基づき、庫内の温度が所定温度域を逸脱した（例えば所定温度域より上昇した）と判断された場合は、制御手段３２から冷却装置１５に駆動オフ信号が出力され、冷却装置１５が駆動オフする（図１を参照）。
又、加熱，保温中に、異常検出手段６１のドアスイッチ５９から入力された検出信号に基づき、ドア２０が開放されたと判断された場合は、制御手段３２からヒーター１６に駆動オフ信号が出力され、ヒーター１６が駆動オフする（図１を参照）。
更に、冷却，保冷中や加熱，保温中に、異常検出手段６１の過電流センサ６２から入力された検出信号に基づき、供給電力に異常が発生したと判断された場合は、制御手段３２から冷却装置１５やヒーター１６に駆動オフ信号が出力され、冷却装置１５やヒーター１６が駆動オフする（図１を参照）。
【００４２】
更に（５）、これらの場合、つまり途中で庫内の温度が所定温度域を逸脱した場合や、ドア２０が開放された場合や、供給電力に異常が発生した場合は、冷却装置１５やヒーター１６が駆動オフすると共に、その旨の警報が実施される（図１を参照）。
すなわち、これらの場合には、それぞれ制御手段３２から警報部５７たるエラー表示３４に対し表示オン信号が出力され、エラー表示３４により、エラーである旨の警報が実施される。
【００４３】
さてそこで、このサービスカート１３のコントロールボックス２８にあっては、次の第１，第２，第３のようになる。
第１に、このコントロールボックス２８では、制御手段３２としてマイクロコンピュータ６０を採用してなり、タイマー設定操作部３０（６７）からのタイマー設定信号に基づき、冷却装置１５やヒーター１６が所定設定時間、駆動オンオフ制御されると共に、次の動作制御，表示，警報等も行われる。
まず、冷却装置１５の動作，駆動中に、温度センサ５８からの温度信号に基づき、庫内の温度が所定温度域を逸脱したと判断された場合は、冷却装置１５は駆動オフされる。又、ヒーター１６の動作，駆動中に、ドアスイッチ５９の検出信号に基づき、サービスカート１３のドア２０が開放されたと判断された場合は、ヒーター１６は駆動オフされる。
更に、冷却装置１５又はヒーター１６の動作，駆動中に、過電流センサ６２の検出信号に基づき過電流が供給される等、電力供給に異常が生じたと判断された場合は、冷却装置１５やヒーター１６は駆動オフされる。
【００４４】
更に、これらの場合は、エラー表示３４によるその旨の表示、つまり警報部５４による警報も行われる。
又、このような異常時以外の常時においても、タイマー表示３３，温度表示３５，冷却装置動作表示５２，ヒーター動作表示５３等により、タイマー設定内容の表示，庫内温度の表示，冷却装置１５の動作表示，ヒーター１６の動作表示、等が行われている。
このように、このコントロールボックス２８によると、各種の動作制御，警報，表示等が、同時に一挙に実施されるようになる。
【００４５】
第２に、このコントロールボックス２８では、電源スイッチ２９，タイマー設定操作部３０，ロックボタン５１等の操作部３１と、マイクロコンピュータ６０を使用した制御手段３２と、タイマー表示３３，エラー表示３４，温度表示３５，冷却装置動作表示５２，ヒーター動作表示５３等の表示部３６とが、パネル部４８等を利用しつつ、一体的にユニット化されている。
そして、このように一体化，ユニット化したものを、サービスカート１３の天板２２上に、ネジ等を用い着脱可能に取付けてなる。
更に、冷却装置１５，ヒーター１６，温度センサ５８，ドアスイッチ５９，ロック装置５７等に対する配線３７，３８，４３，４４，５５を、コネクタ３９，４０，４５，４６，５６を用い、着脱可能に取付けてなる。
【００４６】
そこで、このコントロールボックス２８は、このような一体化，ユニット化，着脱化により、製造時における組立て作業が、極めて簡単容易である。これと共に、修理，交換時や保守，点検時における取付け，取外しも、極めて簡単容易である。又、一体化，ユニット化，統一化により、パネル部４８の外観も向上してなる。
更に、電源スイッチ２９，タイマー設定操作部３０，ロックボタン５１等の操作部３０は、パネルシート４７下に配された表面タッチパネル式よりなり、いずれもパネルシート４７下のボタンスイッチを押下することにより、極めて簡単容易に手動操作される。
【００４７】
第３に、更に、別体のリモートコントロール装置６６を備えてなり、このリモートコントロール装置６６を使用すると、次のようになる。
すなわち、リモートコントロール装置６６のタイマー設定操作部６７を、１回だけ手動操作しておけば、事後は順次、各サービスカート１３の第１受光素子７０に発信して行くだけで、タイマー設定信号が、各サービスカート１３の制御手段３２に入力されるようになる。
つまり、各サービスカート１３のコントロールボックス２８のタイマー設定操作部３０について、１台ずつ個々に同じ手動操作を繰り返す手間、つまりタイマー設定信号を入力して行く手間が省けるようになる。
【００４８】
【発明の効果】
第１に、本発明のサービスカートのコントロールボックスは、まず、次の効果を発揮する。
すなわち、制御手段により、タイマーの設定操作のみならず，庫内の温度状態，ドア等の状態，電力供給状態等々に基づき、冷却装置やヒーターの動作制御が行われる。
【００４９】
例えば、冷却装置やヒーターが、自動的に所定設定時間だけ駆動オンオフされるのは勿論のこと、途中で庫内の温度が所定温度域を逸脱した場合は、自動的に冷却装置が駆動オフされる。又、途中でドアが開放された場合は、自動的にヒーターが駆動オフされ、更に、電力供給に異常が生じた場合は、自動的に冷却装置やヒーターが駆動オフされる。
このように、本発明によると、タイマーによる動作制御のみを行っていた前述したこの種従来例では実現困難とされていた、各種入力に基づく動作制御が、自動的に実現されるようになる。
【００５０】
第２に、更に本発明に係る請求項１のサービスカートのコントロールボックスは、次の効果を発揮する。
すなわち請求項１では、操作部，制御手段，表示部等を一体的にユニット化して、サービスカートに対し着脱可能に取付けると共に、冷却装置，ヒーター，検出手段等に対する配線を着脱可能に付設する、等の構成を採用してなる。
【００５１】
そこで、単品の個々の部品単位で取付けていた前述したこの種従来例に比し、まず、コントロールボックスの組立作業が容易化され、その手間，工数，時間が大きく軽減される。又、修理等に際し、サービスカートに対する取付け，取外しも容易であり、メインテナンス性が向上する。
更に、一体化により個々の統一性がバランスよく保たれ、サービスカートの外観も向上する。
【００５２】
第３に、本発明に係る請求項２のサービスカートのコントロールボックスは、次の効果を発揮する。
すなわち請求項２では、各サービスカート共通のタイマー設定操作部を備えた別体のリモートコントロール装置と、各サービスカートのコントロールボックスの受信部と、冷却装置やヒーターを動作制御する制御手段と、を採用してなる。
【００５３】
この種のサービスカートは、例えば病院，航空機，新幹線内等において、多数台が同時に使用されることが多いが、各サービスカートに対するタイマー設定操作部の手動操作が、共通化されるようになる。
つまり、リモートコントロール装置のタイマー設定操作部を１回だけ手動操作するだけで、各サービスカートに対する手動操作が完了してしまい、後は各サービスカートに対して発信して行くだけでよくなる。前述したこの種従来例のように、各サービスカート毎に１台ずつ台数分だけ同じ手動操作，入力作業を繰り返す必要がなくなり、その分、操作性，作業性が向上する。
このように、この種従来例に存した課題がすべて解決される等、本発明の発揮する効果は、顕著にして大なるものがある。
【図面の簡単な説明】
【図１】  本発明に係るサービスカートのコントロールボックスについて、本発明の実施の形態の説明に供する制御のブロック図である。
【図２】  同発明の実施の形態の説明に供し、（１）図は、パネル部の正面図、（２）図は、コントロールボックス等の斜視図である。
【図３】  同発明の実施の形態の説明に供し、サービスカートの斜視図である。
【図４】  同発明の実施の形態の説明に供し、（１）図は、リモートコントロール装置と第１受光素子のブロック図、（２）図は、リモートコントロール装置と第２受光素子のブロック図である。
【図５】  同発明の実施の形態の説明に供し、サービスカートの斜視図である。
【図６】  同発明の実施の形態の説明に供し、（１）図は、サービスカートの要部の正断面図、（２）図は、サービスカートの要部の側断面図である。
【図７】  この種従来例の説明に供し、（１）図は、サービスカートの要部の斜視図、（２）図は、制御のブロック図である。
【符号の説明】
１３  サービスカート
１５  冷却装置
１６  ヒーター
１８  食品
２０  ドア
２１  キャスター
２８  コントロールボックス
２９  電源スイッチ
３０  タイマー設定操作部
３１  操作部
３２  制御手段
３３  タイマー表示
３４  エラー表示
３５  温度表示
３６  表示部
３７  配線
３８  配線
３９  コネクタ
４０  コネクタ
４１  温度検出手段
４２  検出手段
４３  配線
４４  配線
４５  コネクタ
４６  コネクタ
４７  パネルシート
５４  警報部
５９  ドアスイッチ（異常検出手段）
６０  マイクロコンピュータ
６１  異常検出手段
６２  過電流センサ（異常検出手段）
６６  リモートコントロール装置
６７  タイマー設定操作部
６８  受信部
【図１】
0003723030.tif 000002
【図２】
0003723030.tif 000003
【図３】
0003723030.tif 000004
【図４】
0003723030.tif 000005
【図５】
0003723030.tif 000006
【図６】
0003723030.tif 000007
【図７】
0003723030.tif 000008